(57)【特許請求の範囲】
【請求項１】
操作部材と、
可動接点部材と、
固定接点部を有し、前記操作部材および前記可動接点部材を収容可能で前方側が開放された空間部を備えるケースと、
前記空間部を覆う前方カバー部材と、
前記ケースの後方側を覆う基部と、前記基部の両端から前方側にそれぞれ延出している腕部とを備える後方カバー部材と、
を有するプッシュスイッチにおいて、
前記前方カバー部材には、前記操作部材が突出する貫通穴と、両端側に前記後方カバー部材の腕部と係合される係合部とが設けられており、
前記前方カバー部材の係合部に前記後方カバー部材の腕部がそれぞれ係合されて前記前方カバー部材と前記後方カバー部材とが一体化され、
前記係合部が切り欠きからなる係合凹部であり、
前記後方カバー部材の腕部が前記係合凹部の上下の内壁に当接するように係合していることを特徴とするプッシュスイッチ。
【請求項２】
前記前方カバー部材の前記係合凹部の上下方向で対向する面部同士の間隔は、幅方向外方側に向うにしたがって狭くなるように形成されており、
前記後方カバー部材の腕部は、先端が上下方向に２股に分割された係合端部となっており、前記係合端部は前記係合凹部に挿入されて、前記係合凹部の上下方向で対向する面部と当接するように押し広げられて係合されている
ことを特徴とする請求項１に記載のプッシュスイッチ。
【請求項３】
操作部材と、
可動接点部材と、
固定接点部を有し、前記操作部材および前記可動接点部材を収容可能で前方側が開放された空間部を備えるケースと、
前記空間部を覆う前方カバー部材と、
前記ケースの後方側を覆う基部と、前記基部の両端から前方側にそれぞれ延出している腕部とを備える後方カバー部材と、
を有するプッシュスイッチにおいて、
前記前方カバー部材には、前記操作部材が突出する貫通穴と、両端側に前記後方カバー部材の腕部と係合される係合部とが設けられており、
前記係合部が貫通孔からなる係合穴部であり、
前記前方カバー部材の前記係合穴部の開口形状は幅方向における外方側が円弧形状となっており、
前記後方カバー部材の腕部の先端部は前記係合穴部に挿入可能に形成されており、前記係合穴部に挿入されて、内方側に折り曲げられて係合されていることを特徴とするプッシュスイッチ。
【請求項４】
前記可動接点部材は、ばね性を有する金属板から形成されており、
前記操作部材は、前記可動接点部材を押圧するための合成樹脂材からなるアクチュエータ部を有し、
前記アクチュエータ部は、前記可動接点部材を撓ませることが可能で、かつ前記ケースを破損させない所定の荷重が加わったときに潰れることを特徴とする請求項３に記載のプッシュスイッチ。
【請求項５】
操作部材と、
可動接点部材と、
固定接点部を有し、前記操作部材および前記可動接点部材を収容可能で前方側が開放された空間部を備えるケースと、
前記空間部を覆う前方カバー部材と、
前記ケースの後方側を覆う基部と、前記基部の両端から前方側にそれぞれ延出している腕部とを備える後方カバー部材と、
を有するプッシュスイッチにおいて、
前記前方カバー部材には、前記操作部材が突出する貫通穴と、両端側に前記後方カバー部材の腕部と係合される係合部とが設けられており、
前記前方カバー部材の係合部に前記後方カバー部材の腕部がそれぞれ係合されて前記前方カバー部材と前記後方カバー部材とが一体化され、
前記前方カバー部材には、第１半田付け部が設けられ、
前記後方カバー部材には、第２半田付け部が設けられ、
前記第１半田付け部と前記第２半田付け部とは、僅かな隙間を有して隣り合って配置されていることを特徴とするプッシュスイッチ。
【請求項６】
前記ケースの、前記第１半田付け部および前記第２半田付け部と対向する箇所には、凹形状に形成された第１逃げ部が設けられ、
前記ケースの下面には、幅方向に溝状に延設された第２逃げ部が設けられていることを特徴とする請求項５に記載のプッシュスイッチ。
【発明の詳細な説明】
【技術分野】
【０００１】
本発明は、プッシュスイッチに関し、特に、基板取り付け後に前方側からの押圧操作に対する耐性のある横押しタイプのプッシュスイッチに関するものである。
【背景技術】
【０００２】
昨今、携帯型の電子機器においては薄型の製品が増えている。このような薄型の携帯機器の側面に配置されるプッシュスイッチには横押しタイプのプッシュスイッチが用いられることが多い。
【０００３】
このようなプッシュスイッチとしては、下記の特許文献１に記載のプッシュスイッチが知られている。
【０００４】
以下、図３２を用いて、特許文献１に記載のプッシュスイッチ９００について説明する。図３２は特許文献１に記載のプッシュスイッチ９００の構成を示す断面図である。
【０００５】
特許文献１に記載のプッシュスイッチ９００は、中央電極およびサイド電極を備えたケース９２７、導電性金属板の接触片９３０、防塵シート９３１、キートップ９３２、金属カバー９３３からなる押釦スイッチである。キートップ９３２は、突出して形成され、操作者により押圧操作されるキー釦部９４０を有している。金属カバー９３３は、キー釦部９４０を挿通可能なキー釦貫通孔９４６を有する前面部９４２、上方側を覆う天板部９４３、前面部９４２の下端部を後方に折曲形成しプリント基板９２６の前方固定ランド９５１に固定される底板部、前面部９４２の両側部の側板部９４５、側板部９４５を後方に延長した折込片９５８からなる。プッシュスイッチ９００は、前面部９４２、天板部９４３、底板部９４４、側板部９４５で構成される空間に、キートップ９３２を移動可能に遊嵌し、かつ、防塵シート９３１とケース９２７を天板部９４３と底板部９４４の後端面に密接した後、折込片９５８をケース９２７の後面側に折曲して、折込片９５８の先端部同士を対向させて包み込むように固定し、折込片９５８の先端部をプリント基板９２６の後方固定ランド９５３に固定している。
【先行技術文献】
【特許文献】
【０００６】
【特許文献１】特開２００７−３２４０９０号公報
【発明の概要】
【発明が解決しようとする課題】
【０００７】
プッシュスイッチ９００は、キートップ９３２を押圧した方向に、折込片９５８の先端部同士が対向して状態で、折込片９５８の先端部の下側がプリント基板９２６の後方固定ランド９５３に半田付けで固定されている。そのため、強めの力でキートップ９３２が押圧されたとしても、折込片９５８が広がって固定が緩むことは無い。しかしながら、昨今、携帯型の電子機器においては多機能化などに伴い、限られたスペースにより多くの電子部品を実装する為に、より小型のプッシュスイッチが求められている。特許文献１に記載のプッシュスイッチ９００と同じ構造で小型化した場合、金属カバー９３３の板厚が薄くなったり、半田付け可能な面積が小さくなったりする。そのため、小型化する前には問題の無かったレベルの強めの力でキートップ９３２が押圧された場合に、半田付けが外れないまでも、後方固定ランド９５３に半田付けがされていない折込片９５８の先端部の上側が広がり、ケース９２７に対する金属カバー９３３の保持が弱まることが懸念される。仮に、このようにケース９２７に対する金属カバー９３３の保持が弱まると、操作はできるが接触片９３０を介した中央電極とサイド電極との接離のタイミングがずれたり、操作感触が悪くなったりするなどの不具合が発生する。
【０００８】
本発明は、上述した課題を解決して、基板取り付け後に前方側からの押圧操作に対する耐性のある横押しタイプのプッシュスイッチを提供するものである。
【課題を解決するための手段】
【０００９】
請求項１に記載のプッシュスイッチにおいては、操作部材と、可動接点部材と、固定接点部を有し、前記操作部材および前記可動接点部材を収容可能で前方側が開放された空間部を備えるケースと、前記空間部を覆う前方カバー部材と、前記ケースの後方側を覆う基部と、前記基部の両端から前方側にそれぞれ延出している腕部とを備える後方カバー部材と、を有するプッシュスイッチにおいて、前記前方カバー部材には、前記操作部材が突出する貫通穴と、両端側に前記後方カバー部材の腕部と係合される係合部とが設けられており、前記前方カバー部材の係合部に前記後方カバー部材の腕部がそれぞれ係合されて前記前方カバー部材と前記後方カバー部材とが一体化され、前記係合部が切り欠きからなる係合凹部であり、前記後方カバー部材の腕部が前記係合凹部の上下の内壁に当接するように係合している、という特徴を有する。
【００１１】
請求項２に記載のプッシュスイッチにおいては、前記前方カバー部材の前記係合凹部の上下方向で対向する面部同士の間隔は、幅方向外方側に向うにしたがって狭くなるように形成されており、前記後方カバー部材の腕部は、先端が上下方向に２股に分割された係合端部となっており、前記係合端部は前記係合凹部に挿入されて、前記係合凹部の上下方向で対向する面部と当接するように押し広げられて係合されている、という特徴を有する。
【００１２】
請求項３に記載のプッシュスイッチにおいては、操作部材と、可動接点部材と、固定接点部を有し、前記操作部材および前記可動接点部材を収容可能で前方側が開放された空間部を備えるケースと、前記空間部を覆う前方カバー部材と、前記ケースの後方側を覆う基部と、前記基部の両端から前方側にそれぞれ延出している腕部とを備える後方カバー部材と、を有するプッシュスイッチにおいて、前記前方カバー部材には、前記操作部材が突出する貫通穴と、両端側に前記後方カバー部材の腕部と係合される係合部とが設けられており、前記係合部が貫通孔からなる係合穴部であり、前記前方カバー部材の前記係合穴部の開口形状は幅方向における外方側が円弧形状となっており、前記後方カバー部材の腕部の先端部は前記係合穴部に挿入可能に形成されており、前記係合穴部に挿入されて、内方側に折り曲げられて係合されている、という特徴を有する。
【００１３】
請求項４に記載のプッシュスイッチにおいては、前記可動接点部材は、ばね性を有する金属板から形成されており、前記操作部材は、前記可動接点部材を押圧するための合成樹脂材からなるアクチュエータ部を有し、前記アクチュエータ部は、前記可動接点部材を撓ませることが可能で、かつ前記ケースを破損させない所定の荷重が加わったときに潰れる、という特徴を有する。
【００１４】
請求項５に記載のプッシュスイッチにおいては、操作部材と、可動接点部材と、固定接点部を有し、前記操作部材および前記可動接点部材を収容可能で前方側が開放された空間部を備えるケースと、前記空間部を覆う前方カバー部材と、前記ケースの後方側を覆う基部と、前記基部の両端から前方側にそれぞれ延出している腕部とを備える後方カバー部材と、を有するプッシュスイッチにおいて、前記前方カバー部材には、前記操作部材が突出する貫通穴と、両端側に前記後方カバー部材の腕部と係合される係合部とが設けられており、前記前方カバー部材の係合部に前記後方カバー部材の腕部がそれぞれ係合されて前記前方カバー部材と前記後方カバー部材とが一体化され、前記前方カバー部材には、第１半田付け部が設けられ、前記後方カバー部材には、第２半田付け部が設けられ、前記第１半田付け部と前記第２半田付け部とは、僅かな隙間を有して隣り合って配置されている、という特徴を有する。
【００１５】
請求項６に記載のプッシュスイッチにおいては、前記ケースの、前記第１半田付け部および前記第２半田付け部と対向する箇所には、凹形状に形成された第１逃げ部が設けられ、前記ケースの下面には、幅方向に溝状に延設された第２逃げ部が設けられている、という特徴を有する。
【発明の効果】
【００１６】
請求項１の発明によれば、後方カバー部材の基部がケースの後方側を覆う、すなわちケースの後方側には後方カバー部材が分断された箇所が無いとともに、２つの腕部を前方カバー部材と係合させて一体化させる構成とした。これにより、押圧されて後方カバー部材の分断された箇所が広がることはないので、先行技術に比べて前方側からの押し込み強度を向上させることができる。さらに、係合部を切り欠きからなる係合凹部とすることで、係合部を簡易に構成することができる。また、後方カバー部材の腕部が係合凹部の上下の内壁に当接するように係合する構成とすることで、前方カバー部材と後方カバー部材とを十分な保持力で係合することができる。よって、基板取り付け後に前方側からの押圧操作に対する耐性のある横押しタイプのプッシュスイッチを提供することができる、という効果を奏する。
【００１８】
請求項２の発明によれば、係合凹部の上下方向で対向する面部同士の間隔が、幅方向外方側に向うにしたがって狭くなるように形成され、先端が上下方向に２股に分割された係合端部が係合凹部に挿入され、係合端部を係合凹部の上下方向で対向する面部と当接するように押し広げて、前方カバー部材と後方カバー部材とが係合される構成とした。係合端部を上下方向に押し広げて、前方カバー部材と後方カバー部材と係合させると、係合凹部の上下方向で対向する面部同士の間隔が広い側の係合端部は、係合凹部の上下方向で対向する面部同士の間隔が狭い側の係合端部よりも広くなるように広げられる。これにより、係合端部はそれぞれ捻じられた様にひろげられ、係合端部と係合凹部との係合はより強固となり、押圧方向には外れにくくなる。また、係合凹部の上下方向で対向する面部同士の間隔が、幅方向外方側に向うにしたがって狭くなるように形成されているため、幅方向外方側に対しても係合は外れにくくなっている。したがって、基板取り付け後に前方側からの押圧操作に対してより耐性のある横押しタイプのプッシュスイッチを提供することができる、という効果を奏する。
【００１９】
請求項３の発明によれば、係合部を貫通孔からなる係合穴部とすることで、係合部を簡易に構成することができる。また、後方カバー部材の腕部が係合穴部に挿入され、折り曲げることで係合する構成とすることで、前方カバー部材と後方カバー部材とを十分な保持力で係合することができる。したがって、簡易な構成で、前方カバー部材と後方カバー部材とを十分な保持力で係合することができる、という効果を奏する。さらに、係合穴部の開口形状を、幅方向における外方側が円弧形状とすることで、幅方向における外方側においては上下方向の寸法が内方側よりも小さくなるので、係合穴部と腕部とを係合するときに、腕部が係合穴部の幅方向における外方側の面に接触すると、腕部は内方側へ寄せられる。したがって、前方カバー部材と後方カバー部材とをガタのない状態で固定することができ、外れにくい強固な係合とすることができる、という効果を奏する。
【００２０】
請求項４の発明によれば、アクチュエータ部は可動接点部を後方側へ押圧し、押圧された可動接点部は後方側へ撓んで固定接点部に接触する。仮にオーバーストロークになった場合には、先ず、アクチュエータ部が潰れることになる。そのため、ケースに過剰な押圧付加が加わることによる、固定接点部の周辺の破損を軽減することができる。したがって、押圧操作された方向に可動接点部材が配置され、過剰な押し込みに対応可能なプッシュスイッチを提供することができる、という効果を奏する。
【００２１】
請求項５の発明によれば、第１半田付け部と第２半田付け部とを設けるとともに、第１半田付け部と第２半田付け部とが僅かな隙間を有して隣り合って配置されることで、第１半田付け部と第２半田付け部とを半田付けした際に、前方カバー部材と後方カバー部材とは半田により連結される。そのため、操作部材を強い力で押圧された場合にも、係合端部と係合凹部との係合箇所にかかる負荷が半田により連結された部分に分散されるため、係合端部と係合凹部との係合は外れにくくなる。したがって、基板取り付け後に前方側からの押圧操作に対してさらに耐性のある横押しタイプのプッシュスイッチを提供することができる、という効果を奏する。
【００２２】
請求項６の発明によれば、第１逃げ部および第２逃げ部を設けることで、プッシュスイッチを基板に半田付けする際に発生するフラックスが、第１逃げ部および第２逃げ部を伝わるため、フラックスがケースの空間部に到達するまでの距離を長くしたり、フラックスを空間部とは異なる方向へ誘導することができる。よって、空間部内にフラックスが入り込みにくくなり、フラックスの付着による可動接点部材と固定接点部との導通不良の発生を少なくすることができる。したがって、安定したスイッチングができるプッシュスイッチを提供することができる、という効果を奏する。
【００２３】
以上より、本発明によれば、基板取り付け後に前方側からの押圧操作に対する耐性のある横押しタイプのプッシュスイッチを提供することができる。
【図面の簡単な説明】
【００２４】
【図１】第１実施形態におけるプッシュスイッチ１００の構成を示す分解斜視図である。
【図２】第１実施形態におけるプッシュスイッチ１００の外観を示す図であり、図２（ａ）はプッシュスイッチ１００の外観を示す斜視図であり、図２（ｂ）は図２（ａ）に示すＺ２方向側から見た状態のプッシュスイッチ１００を示す平面図である。
【図３】第１実施形態におけるプッシュスイッチ１００を基板にマウントした状態の例を示す図であり、図３（ａ）はプッシュスイッチ１００の基板へのマウント例を図２に示すＺ２方向側から見た状態を示す平面図であり、図３（ｂ）は図３（ａ）に示すＹ２方向側からプッシュスイッチ１００の基板へのマウント例を見た状態を示す平面図である。
【図４】第１実施形態における操作部材１を示す図であり、図４（ａ）は操作部材１の外観を示す斜視図であり、図４（ｂ）は図４（ａ）に示すＸ２方向側から見た状態の操作部材１を示す斜視図である。
【図５】第１実施形態における可動接点部材２の外観を示す図であり、図５（ａ）は可動接点部材２の外観を示す斜視図であり、図５（ｂ）は図５（ａ）に示すＺ２方向側から見た状態の可動接点部材２を示す平面図である。
【図６】第１実施形態におけるケース３の外観を示す図であり、図６（ａ）はケース３の外観を示す斜視図であり、図６（ｂ）は第１ケース部材３ｅと第２ケース部材３ｆとに分割された状態のケース３を示す分解斜視図である。
【図７】第１実施形態における第１ケース部材３ｅを図６（ａ）に示すＺ２方向側から見た状態を示す斜視図である。
【図８】第１実施形態における第２ケース部材３ｆを示す図であり、図８（ａ）は第２ケース部材３ｆの外観を示す斜視図であり、図８（ｂ）は図８（ａ）に示すＺ２方向側から見た状態の第２ケース部材３ｆを示す斜視図である。
【図９】第１実施形態における後方カバー部材５を示す図であり、図９（ａ）は後方カバー部材５の外観を示す斜視図であり、図９（ｂ）は図９（ａ）に示すＹ２方向側から見た状態の後方カバー部材５を示す側面図であり、図９（ｃ）は図９（ａ）に示すＸ２方向側から見た状態の後方カバー部材５を示す側面図である。
【図１０】第１実施形態における前方カバー部材４を示す図であり、図１０（ａ）は前方カバー部材４の外観を示す斜視図であり、図１０（ｂ）は図１０（ａ）に示すＡ部をＸ１方向側から見た状態を示す拡大図である。
【図１１】図３（ｂ）に示す断面Ｂ−Ｂを示す模式断面図である。
【図１２】図１１に示す状態から押圧操作された後の状態を示す模式断面図である。
【図１３】第1実施形態における係合凹部４ｂと係合端部５ｃとの係合状態を示す模式図である。
【図１４】第２実施形態におけるプッシュスイッチ２００の構成を示す分解斜視図である。
【図１５】第２実施形態におけるプッシュスイッチ２００の外観を示す図であり、図１５（ａ）はプッシュスイッチ２００の外観を示す斜視図であり、図１５（ｂ）は図１５（ａ）におけるＺ２方向から見た状態のプッシュスイッチ２００を示す平面図である。
【図１６】第２実施形態におけるプッシュスイッチ２００を基板にマウントした状態の例を示す図であり、図１６（ａ）はプッシュスイッチ２００の基板へのマウント例を図１５に示すＺ１方向側から見た状態を示す平面図であり、図１６（ｂ）は図１６（ａ）に示すＹ２方向側からプッシュスイッチ１００の基板へのマウント例を見た状態を示す側面図である。なお、図１６（ｂ）においては、説明を容易にするために、基板ＣＢ１は断面で示している。
【図１７】第２実施形態におけるケース２３の外観を示す図であり、図１７（ａ）はケース２３の外観を示す斜視図であり、図１７（ｂ）は図１７（ａ）に示すＹ２方向側から見た状態のケース２３を示す側面図である。
【図１８】第２実施形態におけるケース２３を第２ケース部材２４と第１ケース部材２５とに分解した状態を示す分解斜視図である。
【図１９】第２実施形態における第２ケース部材２４の外観を示す図であり、図１９（ａ）は図１８に示すＸ１方向側から見た状態の第２ケース部材２４を示す正面図であり、図１９（ｂ）は図１８に示すＹ２方向側から見た状態の第２ケース部材２４を示す側面図である。
【図２０】第２実施形態における回路部材３０の形状を示す図であり、図２０（ａ）は回路部材３０の形状を示す斜視図であり、図２０（ｂ）は図２０（ａ）に示すＺ１方向側から見た状態の回路部材３０を示す平面図である。
【図２１】第２実施形態における第１ケース部材２５の形状を示す図であり、図２１（ａ）は図１８に示すＸ２方向側から見た状態の第２ケース部材２４を示す斜視図であり、図２１（ｂ）は図１８に示すＸ２方向側から見た状態の第２ケース部材２４を示す背面図である。
【図２２】図１７に記載の断面線Ｅ−Ｅで切断した断面を示す断面図である。
【図２３】第２実施形態における可動接点部材２２の外観を示す図であり、図２３（ａ）は可動接点部材２２の外観を示す斜視図であり、図２３（ｂ）は図２３（ａ）に示すＺ２方向側から見た状態の可動接点部材２２を示す側面図である。
【図２４】第２実施形態における操作部材２１の外観を示す図であり、図２４（ａ）は操作部材２１の外観を示す斜視図であり、図２４（ｂ）は図２４（ａ）に示すＸ２方向側から見た状態の操作部材２１を示す斜視図であり、図２４（ｃ）は図２４（ａ）に示すＸ１方向側から見た状態の操作部材２１を示す正面図である。
【図２５】第２実施形態におけるカバー部材２６の外観を示す図であり、図２５（ａ）はカバー部材２６の外観を示す斜視図であり、図２５（ｂ）はカバー部材２６を前方カバー部材２７と後方カバー部材２８とに分解した状態を示す分解斜視図である。
【図２６】第２実施形態における前方カバー部材２７の外観を示す図であり、図２６（ａ）は前方カバー部材２７の外観を示す斜視図であり、図２６（ｂ）は図２６（ａ）に示すＦ部を図２６（ａ）に示すＸ１方向側から見た状態を拡大して示す拡大図である。
【図２７】第２実施形態における後方カバー部材２８の外観を示す図であり、図２７（ａ）は後方カバー部材２８の外観を示す斜視図であり、図２７（ｂ）は図２７（ａ）に示すＸ２方向側から見た状態の後方カバー部材２８を示す斜視図である。なお、腕部２８ｂの先端部２８ｃは内方側へ折り曲げられた状態で図示されているが、前方カバー部材２７との一体化前には腕部２８ｂの突出する方向へ延びるように形成されている。
【図２８】図１７（ｂ）に示す断面Ｆ−Ｆを示す模式断面図である。なお、説明を容易にするため、第２固定接点部２４ｇの位置は実際の位置とは異なる。
【図２９】図２８に示す状態から押圧操作された後の状態を示す模式断面図である。
【図３０】第２実施形態におけるプッシュスイッチ２００がオーバーストロークになった状態を示す模式断面図である。
【図３１】図１５に記載のＧ部を拡大して示す側面図である。
【図３２】特許文献１に記載のプッシュスイッチ９００の構成を示す断面図である。
【発明を実施するための形態】
【００２５】
［第１実施形態］
以下に第１実施形態におけるプッシュスイッチ１００について説明する。
【００２６】
まず始めに本実施形態におけるプッシュスイッチ１００の構成について図１ないし図１０を用いて説明する。図１は第１実施形態におけるプッシュスイッチ１００の構成を示す分解斜視図である。図２は第１実施形態におけるプッシュスイッチ１００の外観を示す図であり、図２（ａ）はプッシュスイッチ１００の外観を示す斜視図であり、図２（ｂ）は図２（ａ）に示すＺ２方向側から見た状態のプッシュスイッチ１００を示す平面図である。図３は第１実施形態におけるプッシュスイッチ１００を基板にマウントした状態の例を示す図であり、図３（ａ）はプッシュスイッチ１００の基板へのマウント例を図２に示すＺ２方向側から見た状態を示す平面図であり、図３（ｂ）は図３（ａ）に示すＹ２方向側からプッシュスイッチ１００の基板へのマウント例を見た状態を示す平面図である。図４は第１実施形態における操作部材１を示す図であり、図４（ａ）は操作部材１の外観を示す斜視図であり、図４（ｂ）は図４（ａ）に示すＸ２方向側から見た状態の操作部材１を示す斜視図である。図５は第１実施形態における可動接点部材２の外観を示す図であり、図５（ａ）は可動接点部材２の外観を示す斜視図であり、図５（ｂ）は図５（ａ）に示すＺ２方向側から見た状態の可動接点部材２を示す平面図である。図６は第１実施形態におけるケース３の外観を示す図であり、図６（ａ）はケース３の外観を示す斜視図であり、図６（ｂ）は第１ケース部材３ｅと第２ケース部材３ｆとに分割された状態のケース３を示す分解斜視図である。図７は第１実施形態における第１ケース部材３ｅを図６（ａ）に示すＺ２方向側から見た状態を示す斜視図である。図８は第１実施形態における第２ケース部材３ｆを示す図であり、図８（ａ）は第２ケース部材３ｆの外観を示す斜視図であり、図８（ｂ）は図８（ａ）に示すＺ２方向側から見た状態の第２ケース部材３ｆを示す斜視図である。図９は第１実施形態における後方カバー部材５を示す図であり、図９（ａ）は後方カバー部材５の外観を示す斜視図であり、図９（ｂ）は図９（ａ）に示すＹ２方向側から見た状態の後方カバー部材５を示す側面図であり、図９（ｃ）は図９（ａ）に示すＸ２方向側から見た状態の後方カバー部材５を示す側面図である。図１０は第１実施形態における前方カバー部材４を示す図であり、図１０（ａ）は前方カバー部材４の外観を示す斜視図であり、図１０（ｂ）は図１０（ａ）に示すＡ部をＸ１方向側から見た状態を示す拡大図である。
【００２７】
プッシュスイッチ１００は、図１に示すように、操作部材１と、可動接点部材２と、固定接点部３ａを有するケース３と、前方カバー部材４と、後方カバー部材５と、シート部材６とを備え、図２および図３に示すように、前方カバー部材４から突出した操作部材１を押圧操作することで、可動接点部材２と固定接点部３ａとの電気的な導通状態を切り替えることが可能となる。
【００２８】
操作部材１は合成樹脂材からなり、図４に示すように、直方体状に形成されている。操作部材１は直方体状に形成されたボタン部１ａを有している。また、操作部材１はボタン部１ａの一方端側（Ｘ２方向側）の側面に、Ｙ１−Ｙ２方向およびＺ１方向に板状に突出して形成された鍔部１ｂを有するとともに、一方端側の端面には一方へ突出して形成されたアクチュエータ部１ｃを有する。
【００２９】
可動接点部材２は金属薄板からなり、図５に示すように、平面視で長方形状に形成されている。可動接点部材２は、アーチ状に湾曲し、押圧操作により反転動作可能な可動接点部２ａを有している。また、可動接点部２ａの両側（Ｚ１方向側とＺ２方向側）には、スリット２ｂを介して、載置された面に常時接触するための常接接点部２ｃが配置されている。また、可動接点部材２は、可動接点部２ａと常接接点部２ｃとの両端を一体に連結する連結部２ｄを備えている。なお、本実施形態においては、２枚の可動接点部材２を重ねて用いている。
【００３０】
ケース３は合成樹脂材からなり、金属薄板が埋設され、図６（ａ）に示すように、直方体状に形成され、操作部材１および可動接点部材２を収容可能で前方側（Ｘ１方向側）が開放された空間部３ｂを備えている。なお、ケース３は、図６（ｂ）に示すように、第１ケース部材３ｅと第２ケース部材３ｆとからなる。
【００３１】
第１ケース部材３ｅは前方側の面に、前後方向に貫通した開口部３ｇが形成されている。開口部３ｇの開口形状は長方形状であり、操作部材１のボタン部１ａが挿通可能であるとともに、鍔部１ｂは挿通できない大きさに形成されている。また、開口部３ｇに連続して、開口部３ｇの後方側（Ｘ２方向側）には、空間部３ｂの一部である第１空間部３ｋが形成されている。また、第１ケース部材３ｅは、前方側の面の開口部３ｇを挟んで幅方向（Ｙ１−Ｙ２方向）の両側に、前方へ円柱状に突出して形成された位置決め凸部３ｈを有する。また、第１ケース部材３ｅは、前方側の面の角部を削るように凹形状に形成された第１逃げ部３ｃが設けられている。また、第１ケース部材３ｅ（ケース３）の下面には、図７に示すように、幅方向（Ｙ１−Ｙ２方向）に溝状に延設された第２逃げ部３ｄが設けられている。第２逃げ部３ｄは第１ケース部材３ｅの下面の前後方向の両端部（角部）に形成されている。
【００３２】
第２ケース部材３ｆは、図８に示すように、前方側（Ｘ１方向側）が開放され空間部３ｂの一部を形成する第２空間部３ｍを有する。第２ケース部材３ｆは、第２空間部３ｍの後方側（Ｘ２方向側）の内壁部に一部露出した固定接点部３ａを有する。固定接点部３ａは金属薄板からなり、一部を露出して第２ケース部材３ｆにインサート成型により一体に形成されている。固定接点部３ａは第２空間部３ｍの後方側の内壁部の中央に露出して形成された第１固定接点部３ｎと、第１固定接点部３ｎの周囲に露出して形成された第２固定接点部３ｐとからなる。なお、第１固定接点部３ｎと第２固定接点部３ｐとは電気的な接続は無い。第２固定接点部３ｐは第１固定接点部３ｎを中心とし、Ｙ１−Ｙ２方向およびＺ１−Ｚ２方向に沿った辺を有する仮想の長方形の角部の３箇所に設けられ、３つの第２固定接点部３ｐは電気的に接続されている。また、第２固定接点部３ｐが角部に配置される仮想の長方形は、Ｚ１−Ｚ２方向の辺の長さは可動接点部材２の２つの常接接点部２ｃの離間距離とほぼ一致し、Ｙ１−Ｙ２方向の辺の長さは可動接点部材２の常接接点部２ｃの長さ寸法以下である。また、第２ケース部材３ｆは、底面（Ｚ２方向側の面）の幅方向（Ｙ１−Ｙ２方向）の両端に、後方へ延出して形成された外部接続端子３ｑが形成されている。一方（Ｙ２方向側）の外部接続端子３ｑは第１固定接点部３ｎと電気的に接続されており、他方（Ｙ１方向側）の外部接続端子３ｑは第２固定接点部３ｐと電気的に接続されている。
【００３３】
後方カバー部材５は金属板からなり、図９に示すように、Ｕ字形状に折り曲げて形成されている。後方カバー部材５はケース３の後方側（図６のＸ２方向側）を覆うことができ、平板状に形成された基部５ａと、基部５ａの両端から前方側（Ｘ１方向側）にそれぞれ延出している腕部５ｂとを備えている。腕部５ｂは、延出方向の先端が上下方向に２股に分割された係合端部５ｃとなっている。また、腕部５ｂには、延出方向の先端から下方へ延出して第２半田付け部５ｄがそれぞれ設けられ、第２半田付け部５ｄの延出方向の先端には突出して固定凸部５ｅがそれぞれ設けられている。また、基部５ａは、下方端部に下方へ延出して形成された第３半田付け部５ｆを有している。
【００３４】
前方カバー部材４は金属板からなり、図１０に示すように、長方形の平板状に形成されている。なお、前方カバー部材４は空間部３ｂを覆うことができる大きさに形成されている。前方カバー部材４は、中心部に操作部材１のボタン部１ａが突出可能な貫通穴４ａと、幅方向（Ｙ１−Ｙ２方向）における両端側に係合部４Ａとが設けられている。なお、第１実施形態においては、係合部４Ａは切り欠きからなる係合凹部４ｂである。係合凹部４ｂの上下方向（Ｚ１−Ｚ２方向）で対向する面部４ｃ同士の間隔は、図１０（ｂ）に示すように、幅方向外方側に向うにしたがって狭くなるように形成されている。なお、係合凹部４ｂは、後方カバー部材５の腕部５ｂ（係合端部５ｃ）と係合可能な大きさに形成されている。また、前方カバー部材４は、図１０（ａ）に示すように、下方側端部の両端に第１半田付け部４ｄが設けられている。また、前方カバー部材４は、貫通穴４ａの幅方向の両側の、貫通穴４ａと係合凹部４ｂとに挟まれた位置に、第１ケース部材３ｅの位置決め凸部３ｈを挿通可能な位置決め孔部４ｅを有する。２つの位置決め孔部４ｅの離間距離は、２つの位置決め凸部３ｈの離間距離と同じである。
【００３５】
シート部材６は合成樹脂材のシート材からなり、図１に示すように、長方形状のシート状に形成され、屈曲性を有している。なお、シート部材６は、第２ケース部材３ｆの第２空間部３ｍを覆うことができる大きさに形成されている。また、シート部材６は、一方の面（Ｘ２方向側の面）に粘着剤が前面に塗布された粘着面６ａを有する。
【００３６】
次にプッシュスイッチ１００の構造について図２、図３および図１１を用いて説明する。図１１は図３（ｂ）に示す断面Ｂ−Ｂを示す模式断面図である。なお、可動接点部材２の断面部は２枚分をまとめて１つの断面で表している。
【００３７】
図１１に示すように、２枚重ねられた可動接点部材２は第２ケース部材３ｆの第２空間部３ｍ内に配置される。可動接点部材２は可動接点部２ａが前方（Ｘ１方向）へ突出する向きに配置され、常接接点部２ｃは第２空間部３ｍの後方側の内壁に露出する第２固定接点部３ｐと接触している。なお、可動接点部２ａは第１固定接点部３ｎとは離間している。シート部材６は、粘着面６ａが第２空間部３ｍに対向する向きで、可動接点部材２が配置された第２空間部３ｍを覆うように配置される。シート部材６は粘着面６ａの粘着力により第２ケース部材３ｆに保持されるとともに、可動接点部材２を第２空間部３ｍ内に保持する。シート部材６は屈曲性を有しているため、シート部材６を介して押圧された場合には、可動接点部材２の可動接点部２ａは第２空間部３ｍ内でも可動可能に保持されている。操作部材１は、ボタン部１ａを第１空間部３ｋ側から開口部３ｇに挿通した状態で、第１ケース部材３ｅの第１空間部３ｋ内に保持される。第１空間部３ｋ内に操作部材１を保持した第１ケース部材３ｅは、操作部材１のアクチュエータ部１ｃがシート部材６と対向する向きで、シート部材６を第２ケース部材３ｆと挟み込み、第１空間部３ｋと第２空間部３ｍとが空間部３ｂを形成するように係合する。このように第１ケース部材３ｅと第２ケース部材３ｆとを係合することで、操作部材１のアクチュエータ部１ｃと可動接点部材２の可動接点部２ａとはシート部材６を介して接触する。また、前方カバー部材４は、貫通穴４ａに操作部材１のボタン部１ａを挿通させるとともに、位置決め孔部４ｅ（図１０参照）にそれぞれ第１ケース部材３ｅの位置決め凸部３ｈを挿通させて、空間部３ｂを覆うように第１ケース部材３ｅと係合している。また、後方カバー部材５は、基部５ａでケース３（第２ケース部材３ｆ）の後方側を覆うとともに、腕部５ｂを前方に延出させた状態で第２ケース部材３ｆと係合している。また前方へ延出した腕部５ｂが、前方カバー部材４の係合部４Ａ（係合凹部４ｂ）にそれぞれ係合されて前方カバー部材４と後方カバー部材５とが一体化されている。なお、係合端部５ｃは係合部４Ａである係合凹部４ｂに挿入されて、図３（ｂ）に示すように、係合凹部４ｂの上下方向で対向する内壁である面部４ｃと当接するように押し広げられ、係合している。このように係合端部５ｃが押し広げられ、係合凹部４ｂと当接することで前方カバー部材４と後方カバー部材５とが一体化されている。また、係合端部５ｃが押し広げられ、係合凹部４ｂと当接することで、第１ケース部材３ｅと第２ケース部材３ｆとは、シート部材６を圧接挟持する。このようにして第１実施形態におけるプッシュスイッチ１００は構成される。プッシュスイッチ１００は、図３（ｂ）に示すように、第１半田付け部４ｄと第２半田付け部５ｄとは、僅かな隙間Ｄを有して隣り合って配置されている。また、ケース３の、第１半田付け部４ｄおよび第２半田付け部５ｄと対向する箇所には、図２（ｂ）に示すように、凹形状に形成された第１逃げ部３ｃが設けられ、ケース３の下面（Ｚ２方向側の面）には、幅方向（Ｙ１−Ｙ２方向）に溝状に延設された第２逃げ部３ｄが設けられている。
【００３８】
次にプッシュスイッチ１００の動作について図１１および図１２を用いて説明する。図１２は図１１に示す状態から押圧操作された後の状態を示す模式断面図である。
【００３９】
図１１に示す状態は、プッシュスイッチ１００が操作されていない初期状態を示している。図１１に示す状態においては、常接接点部２ｃは第２固定接点部３ｐと接触しているが、可動接点部２ａは第１固定接点部３ｎとは離間している。つまり、図１１に示す状態は、第１固定接点部３ｎと第２固定接点部３ｐとの電気的な導通は無い状態である。図１１に示す状態から、図１２に示すように、操作部材１を後方側（Ｘ２方向）へ押圧すると、シート部材６を介して可動接点部２ａに接触するアクチュエータ部１ｃは可動接点部２ａを後方側へ押圧する。押圧された可動接点部２ａは後方側へ撓んだ後に反転し、第１固定接点部３ｎに接触する。可動接点部２ａと第１固定接点部３ｎとが接触することで、第１固定接点部３ｎと第２固定接点部３ｐとは、可動接点部材２を介して電気的に導通される。また、操作部材１への押圧を解除すると、可動接点部２ａの弾性力により、図１１に示す初期状態に復帰し、第１固定接点部３ｎと第２固定接点部３ｐとの電気的な導通は無い状態となる。このように、第１固定接点部３ｎと第２固定接点部３ｐとの電気的な導通状態を切り替えることで入力を行なうことができ、プッシュスイッチとして機能する。
【００４０】
以下、本実施形態としたことによる効果について説明する。なお、図１３は第1実施形態における係合凹部４ｂと係合端部５ｃとの係合状態を示す模式図である。
【００４１】
本実施形態のプッシュスイッチ１００では、操作部材１と、可動接点部材２と、固定接点部３ａを有し、操作部材１および可動接点部材２を収容可能で前方側が開放された空間部３ｂを備えるケース３と、空間部３ｂを覆う前方カバー部材４と、ケース３の後方側を覆う基部５ａと、基部５ａの両端から前方側にそれぞれ延出している腕部５ｂとを備える後方カバー部材５と、を有するプッシュスイッチにおいて、前方カバー部材４には、操作部材１が突出する貫通穴４ａと、両端側に後方カバー部材５の腕部５ｂと係合される係合部４Ａとが設けられており、前方カバー部材４の係合部４Ａに後方カバー部材５の腕部５ｂがそれぞれ係合されて前方カバー部材４と後方カバー部材５とが一体化されている、構成とした。
【００４２】
これにより、後方カバー部材５の基部５ａがケース３の後方側を覆う、すなわちケース３の後方側には後方カバー部材５が分断された箇所が無いとともに、２つの腕部５ｂを前方カバー部材４と係合させて一体化させる構成とした。これにより、押圧されて後方カバー部材５の分断された箇所が広がることはないので、先行技術に比べて前方側からの押し込み強度を向上させることができる。よって、基板取り付け後に前方側からの押圧操作に対する耐性のある横押しタイプのプッシュスイッチを提供することができる、という効果を奏する。
【００４３】
また、本実施形態のプッシュスイッチ１００では、操作部材１と、可動接点部材２と、固定接点部３ａを有し、操作部材１および可動接点部材２を収容可能で前方側が開放された空間部３ｂを備えるケース３と、空間部３ｂを覆う前方カバー部材４と、ケース３の後方側を覆う基部５ａと、基部５ａの両端から前方側にそれぞれ延出している腕部５ｂとを備える後方カバー部材５と、を有するプッシュスイッチにおいて、前方カバー部材４には、操作部材１が突出する貫通穴４ａと、両端に後方カバー部材５の腕部５ｂと係合される係合凹部４ｂとが設けられており、前方カバー部材４の係合凹部４ｂに後方カバー部材５の腕部５ｂがそれぞれ係合されて前方カバー部材４と後方カバー部材５とが一体化されている、構成とした。
また、本実施形態のプッシュスイッチ１００では、係合部４Ａが切り欠きからなる係合凹部４ｂであり、後方カバー部材５の腕部５ｂが係合凹部４ｂの上下の内壁に当接するように係合している、構成とした。
【００４４】
これにより、後方側カバー部材の基部５ａがケース３の後方側を覆う、すなわちケース３の後方側には後方側カバー部材が分断された箇所が無いとともに、２つの腕部５ｂを前方側カバー部材と係合させて一体化させる構成とした。これにより、押圧されて後方側カバー部材の分断された箇所が広がることはないので、先行技術に比べて前方側からの押し込み強度を向上させることができる。よって、基板取り付け後に前方側からの押圧操作に対する耐性のある横押しタイプのプッシュスイッチを提供することができる、という効果を奏する。
これにより、係合部４Ａを切り欠きからなる係合凹部４ｂとすることで、係合部４Ａを簡易に構成することができる。また、後方カバー部材５の腕部５ｂが係合凹部４ｂの上下の内壁に当接するように係合する構成とすることで、前方カバー部材４と後方カバー部材５とを十分な保持力で係合することができる。したがって、簡易な構成で、前方カバー部材４と後方カバー部材５とを十分な保持力で係合することができる、という効果を奏する。
【００４５】
また、本実施形態のプッシュスイッチ１００では、前方カバー部材４の係合凹部４ｂの上下方向で対向する面部４ｃ同士の間隔は、幅方向外方側に向うにしたがって狭くなるように形成されており、後方カバー部材５の腕部５ｂは、先端が上下方向に２股に分割された係合端部５ｃとなっており、係合端部５ｃは係合凹部４ｂに挿入されて、係合凹部４ｂの上下方向で対向する面部４ｃと当接するように押し広げられて係合されている、構成とした。
【００４６】
これにより、係合凹部４ｂの上下方向で対向する面部４ｃ同士の間隔が、幅方向外方側に向うにしたがって狭くなるように形成され、先端が上下方向に２股に分割された係合端部５ｃが係合凹部４ｂに挿入され、係合端部５ｃを係合凹部４ｂの上下方向で対向する面部４ｃと当接するように押し広げて、前方カバー部材４と後方カバー部材５とが係合される構成とした。係合端部５ｃを上下方向に押し広げて、前方カバー部材４と後方カバー部材５と係合させると、係合凹部４ｂの上下方向で対向する面部４ｃ同士の間隔が広い側の係合端部５ｃは、係合凹部４ｂの上下方向で対向する面部４ｃ同士の間隔が狭い側の係合端部５ｃよりも広くなるように広げられる。これにより、図１３に示すように係合端部５ｃは、それぞれ捻じられた様にひろげられ、係合端部５ｃと係合凹部４ｂとの係合はより強固となり、押圧方向には外れにくくなる。また、係合凹部４ｂの上下方向で対向する面部４ｃ同士の間隔が、幅方向外方側に向うにしたがって狭くなるように形成されているため、幅方向外方側に対しても係合は外れにくくなっている。したがって、基板取り付け後に前方側からの押圧操作に対してより耐性のある横押しタイプのプッシュスイッチを提供することができる、という効果を奏する。
【００４７】
また、本実施形態のプッシュスイッチ１００では、前方カバー部材４には、第１半田付け部４ｄが設けられ、後方カバー部材５には、第２半田付け部５ｄが設けられ、第１半田付け部４ｄと第２半田付け部５ｄとは、僅かな隙間Ｄを有して隣り合って配置されている、構成とした。
【００４８】
これにより、第１半田付け部４ｄと第２半田付け部５ｄとを設けるとともに、第１半田付け部４ｄと第２半田付け部５ｄとが僅かな隙間Ｄを有して隣り合って配置されることで、第１半田付け部４ｄと第２半田付け部５ｄとを半田付けした際に、前方カバー部材４と後方カバー部材５とは半田により連結される。そのため、操作部材１を強い力で押圧された場合にも、係合端部５ｃと係合凹部４ｂとの係合箇所にかかる負荷が半田により連結された部分に分散されるため、係合端部５ｃと係合凹部４ｂとの係合は外れにくくなる。したがって、基板取り付け後に前方側からの押圧操作に対してさらに耐性のある横押しタイプのプッシュスイッチを提供することができる、という効果を奏する。例えば、図３に記載の基板ＣＢ１にプッシュスイッチ１００がマウントされると、第１半田付け部４ｄと第２半田付け部５ｄとは同じランドＬＮ１上に配置される。このようなランドＬＮ１上に第１半田付け部４ｄおよび第２半田付け部５ｄを半田付けすると、ランドＬＮ１を伝わって半田が繋がり、前方カバー部材４と後方カバー部材５とは半田により連結される。
【００４９】
また、本実施形態のプッシュスイッチ１００では、ケース３の、第１半田付け部４ｄおよび第２半田付け部５ｄと対向する箇所には、凹形状に形成された第１逃げ部３ｃが設けられ、ケース３の下面には、幅方向に溝状に延設された第２逃げ部３ｄが設けられている、構成とした。
【００５０】
これにより、第１逃げ部３ｃおよび第２逃げ部３ｄを設けることで、プッシュスイッチを基板に半田付けする際に発生するフラックスが、第１逃げ部３ｃおよび第２逃げ部３ｄを伝わるため、フラックスがケース３の空間部３ｂに到達するまでの距離を長くしたり、フラックスを空間部３ｂとは異なる方向へ誘導することができる。よって、空間部３ｂ内にフラックスが入り込みにくくなり、フラックスの付着による可動接点部材２と固定接点部３ａとの導通不良の発生を少なくすることができる。したがって、安定したスイッチングができるプッシュスイッチを提供することができる、という効果を奏する。
【００５１】
また、第１逃げ部３ｃに対向する第１半田付け部４ｄおよび第２半田付け部５ｄの面には、半田付けした際にフィレットが形成されるため、第１半田付け部４ｄおよび第２半田付け部５ｄは両側にフィレットが形成され、プッシュスイッチ１００は基板に対してより強固に保持される。
【００５２】
また、本実施形態のプッシュスイッチでは、ケース３の後方側に位置する、後方カバー部材５の基部５ａから下方へ延出して第３半田付け部５ｆを有する構成とした。
【００５３】
これにより、例えば、図３に示す基板ＣＢ１のような基板にマウントした際に、第３半田付け部５ｆを対応するランドＬＮ１に半田付けで固定することができる。第３半田付け部５ｆを半田付けすることで、押圧方向側を保持することになり、入力操作の際の押圧に対する耐性がより高くなる。基板取り付け後に前方側からの押圧操作に対してさらに耐性のある横押しタイプのプッシュスイッチを提供することができる、という効果を奏する。
【００５４】
また、本実施形態のプッシュスイッチ１００では、第１ケース部材３ｅと第２ケース部材３ｆとでシート部材６を挟み込む構成とした。
【００５５】
これにより、粘着面６ａの粘着力による保持に加えて、シート部材６がより安定して保持される。また、前方カバー部材４と後方カバー部材５とを係合する際にケース３に加わる力の一部を吸収し、ケース３の破損を防ぐことができるという効果を奏する。
【００５６】
［第２実施形態］
以下に第２実施形態におけるプッシュスイッチ２００について説明する。第２実施形態におけるプッシュスイッチ２００は、第１実施形態におけるプッシュスイッチ１００とは外観形状が異なるが、部品構成は同じである。以下の説明においては、第１実施形態におけるプッシュスイッチ１００の構成部品および部位と同様の機能を有する構成部品および部位については、第１実施形態におけるプッシュスイッチ１００の構成部品名、部位名を用いて説明する。ただし、符号については、第１実施形態におけるプッシュスイッチ１００で用いた符号とは異なる符号を用いて説明する。
【００５７】
まず始めに第２実施形態におけるプッシュスイッチ２００の構成について図１４ないし図２７を用いて説明する。図１４は第２実施形態におけるプッシュスイッチ２００の構成を示す分解斜視図である。図１５は第２実施形態におけるプッシュスイッチ２００の外観を示す図であり、図１５（ａ）はプッシュスイッチ２００の外観を示す斜視図であり、図１５（ｂ）は図１５（ａ）におけるＺ２方向から見た状態のプッシュスイッチ２００を示す平面図である。図１６は第２実施形態におけるプッシュスイッチ２００を基板にマウントした状態の例を示す図であり、図１６（ａ）はプッシュスイッチ２００の基板へのマウント例を図１５に示すＺ１方向側から見た状態を示す平面図であり、図１６（ｂ）は図１６（ａ）に示すＹ２方向側からプッシュスイッチ１００の基板へのマウント例を見た状態を示す側面図である。なお、図１６（ｂ）においては、説明を容易にするために、基板ＣＢ２は断面で示している。図１７は第２実施形態におけるケース２３の外観を示す図であり、図１７（ａ）はケース２３の外観を示す斜視図であり、図１７（ｂ）は図１７（ａ）に示すＹ２方向側から見た状態のケース２３を示す側面図である。図１８は第２実施形態におけるケース２３を第２ケース部材２４と第１ケース部材２５とに分解した状態を示す分解斜視図である。図１９は第２実施形態における第２ケース部材２４の外観を示す図であり、図１９（ａ）は図１８に示すＸ１方向側から見た状態の第２ケース部材２４を示す正面図であり、図１９（ｂ）は図１８に示すＹ２方向側から見た状態の第２ケース部材２４を示す側面図である。図２０は第２実施形態における回路部材３０の形状を示す図であり、図２０（ａ）は回路部材３０の形状を示す斜視図であり、図２０（ｂ）は図２０（ａ）に示すＺ１方向側から見た状態の回路部材３０を示す平面図である。図２１は第２実施形態における第１ケース部材２５の形状を示す図であり、図２１（ａ）は図１８に示すＸ２方向側から見た状態の第２ケース部材２４を示す斜視図であり、図２１（ｂ）は図１８に示すＸ２方向側から見た状態の第２ケース部材２４を示す背面図である。図２２は図１７に記載の断面線Ｅ−Ｅで切断した断面を示す断面図である。図２３は第２実施形態における可動接点部材２２の外観を示す図であり、図２３（ａ）は可動接点部材２２の外観を示す斜視図であり、図２３（ｂ）は図２３（ａ）に示すＺ２方向側から見た状態の可動接点部材２２を示す側面図である。図２４は第２実施形態における操作部材２１の外観を示す図であり、図２４（ａ）は操作部材２１の外観を示す斜視図であり、図２４（ｂ）は図２４（ａ）に示すＸ２方向側から見た状態の操作部材２１を示す斜視図であり、図２４（ｃ）は図２４（ａ）に示すＸ１方向側から見た状態の操作部材２１を示す正面図である。図２５は第２実施形態におけるカバー部材２６の外観を示す図であり、図２５（ａ）はカバー部材２６の外観を示す斜視図であり、図２５（ｂ）はカバー部材２６を前方カバー部材２７と後方カバー部材２８とに分解した状態を示す分解斜視図である。図２６は第２実施形態における前方カバー部材２７の外観を示す図であり、図２６（ａ）は前方カバー部材２７の外観を示す斜視図であり、図２６（ｂ）は図２６（ａ）に示すＦ部を図２６（ａ）に示すＸ１方向側から見た状態を拡大して示す拡大図である。図２７は第２実施形態における後方カバー部材２８の外観を示す図であり、図２７（ａ）は後方カバー部材２８の外観を示す斜視図であり、図２７（ｂ）は図２７（ａ）に示すＸ２方向側から見た状態の後方カバー部材２８を示す斜視図である。なお、腕部２８ｂの先端部２８ｃは内方側へ折り曲げられた状態で図示されているが、前方カバー部材２７との一体化前には腕部２８ｂの突出する方向へ延びるように形成されている。
【００５８】
プッシュスイッチ２００は、図１４に示すように、操作部材２１と、可動接点部材２２と、固定接点部２４ａを有し第２ケース部材２４と第１ケース部材２５とからなるケース２３と、前方カバー部材２７と後方カバー部材２８とからなるカバー部材２６と、シート部材２９とを備え、図１５および図１６に示すように、前方カバー部材２７から突出した操作部材２１を押圧操作することで、可動接点部材２２と固定接点部２４ａとの電気的な導通状態を切り替えることが可能となる。
【００５９】
ケース２３は合成樹脂材からなり、図１７に示すように、直方体状に形成されている。ケース２３は、中空に形成されるとともに、固定接点部２４ａを有する空間部２３ａを内部に備えている。空間部２３ａは前方側（Ｘ１方向側）が開放された開口部２５ｅを備えている。ケース２３は開口部２５ｅが設けられた側の反対側に突出するように形成された本体部２４ｋを有し、本体部２４ｋには、後方側の端部から前方へ向かって一部切り欠かれた切り欠き部２４ｍを有している。なお、第２実施形態においては、ケース２３は図１８に示すように、第２ケース部材２４と第１ケース部材２５との２つの部品からなる。
【００６０】
第２ケース部材２４は合成樹脂材からなり、図１９に示すような、直方体状に形成され、本体部２４ｋを形成している。本体部２４ｋの一方側（Ｘ２方向側）の下方側（Ｚ２方向側）には、一部切り欠かれた切り欠き部２４ｍが形成されている。また、第２ケース部材２４には、金属板からなる回路部材３０がインサート成型されており、一部が第２ケース部材２４から露出して設けられている。第２ケース部材２４は、空間部２３ａの一部である第２空間部２４ｂを備えている。第２空間部２４ｂは他方側（Ｘ１方向側）に開口した第２開口２４ｃを有するとともに、第２開口２４ｃのある第２対向面２４ｄを有している。なお、第２対向面２４ｄは平坦な面状に形成されている。また、第２開口２４ｃの外形形状は、長手辺が直線形状で、短手辺が円弧形状の長方形状に形成されている。また、第２空間部２４ｂの第２開口２４ｃに対向する側（Ｘ２方向側）の一面である最奥面２４ｅには、金属板からなる固定接点部２４ａが形成されている。固定接点部２４ａは、最奥面２４ｅの中央部分に形成される第１固定接点部２４ｆと、最奥面２４ｅにおいて第２空間部２４ｂの長手側の壁の近くに形成される第２固定接点部２４ｇと、からなる。なお、第２実施形態においては、第２固定接点部２４ｇはＺ２方向側の長手側の壁の近くに露出して形成されている。第１固定接点部２４ｆおよび第２固定接点部２４ｇは、第２開口２４ｃがある方向へ突出するとともに、突出方向の先端が平坦な面に形成された接触部２４ｈを有している。第１固定接点部２４ｆは、接触部２４ｈのひとつである中央接触部２４ｎと、中央接触部２４ｎに連続して最奥面２４ｅから露出するとともに、中央接触部２４ｎの周囲へ延出された延出部２４ｐと、を有し、第２固定接点部２４ｇは、接触部２４ｈのひとつである周辺接触部２４ｑを、中央接触部２４ｎの両側となる位置に１つずつ有している。なお、本体部２４ｋは、最奥面２４ｅの後方側に突出するように形成されており、中央接触部２４ｎは、最奥面２４ｅの本体部２４ｋに対応した箇所に配置されているとともに、周辺接触部２４ｑは、最奥面２４ｅの切り欠き部２４ｍに対応した箇所に配置されている。また、最奥面２４ｅの第１固定接点部２４ｆを挟んで第２固定接点部２４ｇに対向する位置となる部分は、周辺接触部２４ｑと同じ高さとなるように突出している。また、第２ケース部材２４は、ケース２３の後方側（Ｘ２方向側）である本体部２４ｋの後方側の端部に、金属材からなり本体部２４ｋから露出した２つの外部接続端子２４ｒを有している。なお、第１固定接点部２４ｆおよび第２固定接点部２４ｇから固定接点部２４ａと、外部接続端子２４ｒと、は、第２ケース部材２４にインサート成型された回路部材３０の一部が露出したものである。回路部材３０は、図２０に示すように、２つの金属板を板金加工して形成されている。回路部材３０は、一端に固定接点部２４ａを有するとともに、他端には外部接続端子２４ｒを有している。すなわち、回路部材３０は、一端に第１固定接点部２４ｆを有するとともに、他端に一方の外部接続端子２４ｒを有するものと、一端に第２固定接点部２４ｇを有するとともに、他端に他方の外部接続端子２４ｒを有するものと、の２つからなり、第１固定接点部２４ｆと第２固定接点部２４ｇとは、電気的に絶縁されている。また、回路部材３０の固定接点部２４ａと外部接続端子２４ｒとの間には、上方（Ｚ１方向）からの平面視で、回路部材３０が延出する方向（Ｘ１−Ｘ２方向）に対して交差する方向へ延出する許容部２４ｓが形成されている。許容部２４ｓの幅寸法（ｗ１）は、回路部材３０の許容部２４ｓを間に挟んだ箇所の幅寸法（ｗ２およびｗ３）よりも小さい。
【００６１】
第１ケース部材２５は合成樹脂材からなり、図２１に示すように、直方体状に形成されており、内部には空間部２３ａの一部である第１空間部２５ａを備えている。また、第１ケース部材２５は、一方側（Ｘ２方向側）に第１空間部２５ａが開口した第１開口２５ｂのある第１対向面２５ｃを有し、他方側（Ｘ１方向側）には第１空間部２５ａに貫通するとともに、長方形状の開口形状に形成された開口部２５ｅを有する。なお、第１対向面２５ｃは平坦な面状に形成されている。また、第１開口２５ｂの外形形状は長方形状に形成され、長方形の四隅の部分には、上下方向（Ｚ１−Ｚ２方向）へ突出するように突出形状部２５ｄを有している。
【００６２】
このように形成された第２ケース部材２４と第１ケース部材２５とは、第２対向面２４ｄと第１対向面２５ｃとを対向させて係合され、図１７に示すように、ケース２３を形成する。また、第２ケース部材２４と第１ケース部材２５とが係合することで、第２空間部２４ｂと第１空間部２５ａとが連結され、空間部２３ａが形成される。なお、第２空間部２４ｂと第１空間部２５ａとが連結され、第１開口２５ｂの外形形状を第２開口２４ｃの外形形状に重ねたとき、図２２に示すように、第１開口２５ｂの外形形状は第２開口２４ｃの外形形状から突出形状部２５ｄがはみ出している。すなわち、第１開口２５ｂの一部と第２対向面２４ｄの一部とが対向するように配置されている。
【００６３】
可動接点部材２２は、ばね性を有する金属薄板からなり、図２３に示すように、平面視で長方形状に形成されている。可動接点部材２２は、アーチ状に湾曲し、押圧操作により反転動作可能な可動接点部２２ａを有している。また、可動接点部２２ａの両側（Ｚ１方向側とＺ２方向側）には、スリット２２ｂを介して、載置された面に常時接触するための常接接点部２２ｃが配置されている。また、可動接点部材２２は、可動接点部２２ａと常接接点部２２ｃとの両端を一体に連結する連結部２２ｄを備えている。このように形成された可動接点部材２２は、ばね性を有し、可動接点部２２ａをアーチ形状の頂部２２ｅ側から押圧されると、押圧された方向へ撓み、押圧を解除されると押圧前の状態に戻る。また、可動接点部２２ａ、常接接点部２２ｃおよび連結部２２ｄにより形成される可動接点部材２２は、頂部２２ｅ側から平面視したときに、外形形状が第２ケース部材２４の第２開口２４ｃの外形形状に沿うように形成されている。なお、第２実施形態においては、１枚の可動接点部材２２を用いている。
【００６４】
操作部材２１は合成樹脂材からなり、図２４に示すように、直方体状に形成されている。操作部材２１は直方体状に形成されたボタン部２１ｃを有しており、ボタン部２１ｃは第１ケース部材２５の開口部２５ｅに挿通可能な大きさに形成されている。また、操作部材２１はボタン部２１ｃの一方端側（Ｘ２方向側）の側面に、側方（Ｙ１−Ｙ２方向）へ突出し、板状に形成された鍔部２１ｄを有する。操作部材２１をボタン部２１ｃの他方端側（Ｘ１方向側）から平面視したときに、鍔部２１ｄは長方形状に形成され、四隅に上下方向（Ｚ１−Ｚ２方向）へ突出するように形成された、突出部２１ａを有している。また、鍔部２１ｄの外形形状は、第１ケース部材２５の第１開口２５ｂの外形形状に沿うように形成されており、突出部２１ａの外形形状は、第１ケース部材２５の突出形状部２５ｄの外形形状に沿うように形成されている。また、操作部材２１は、ボタン部２１ｃの一方端側の端面に、一方へ突出して形成されたアクチュエータ部１ｃを有する。アクチュエータ部２１ｂは、可動接点部材２２を撓ませることが可能で、かつ第２ケース部材２４を破損させない所定の荷重が加わったときに、潰れる（塑性変形する）程度の強度を備えている。
【００６５】
カバー部材２６は金属板からなり、図２５に示すように、開口形状が長方形の筒状に形成されている。カバー部材２６は、前方カバー部材２７と後方カバー部材２８とが係合され、一体化することで形成されている。
【００６６】
前方カバー部材２７は金属板からなり、図２６に示すように、平板状に形成されている。前方カバー部材２７は、図１７に示すＸ１方向側からケース２３を平面視したときに、空間部２３ａを覆うことができる大きさの平板状に形成された板状部２７ｄを有している。前方カバー部材２７は、板状部２７ｄの中央部に貫通穴２７ａと、板状部２７ｄの両端側（Ｙ１方向側およびＹ２方向側）に後方カバー部材２８と係合される係合部２７ｂとが設けられている。貫通穴２７ａは操作部材２１のボタン部２１ｃが挿通可能な大きさに形成された貫通孔である。また、第２実施形態においては、係合部２７ｂは貫通孔からなる係合穴部２７ｃである。なお、係合穴部２７ｃの開口形状は幅方向（Ｙ１−Ｙ２方向）における外方側が円弧形状となっている。すなわち、板状部２７ｄのＹ１方向側に設けられた係合穴部２７ｃにおいては、係合穴部２７ｃの開口形状はＹ１方向側が円弧形状となっており、板状部２７ｄのＹ２方向側に設けられた係合穴部２７ｃにおいては、係合穴部２７ｃの開口形状はＹ２方向側が円弧形状となっている。
【００６７】
後方カバー部材２８は金属板からなり、図２７に示すように、Ｕ字形状に形成されている。後方カバー部材２８は平板状に形成された基部２８ａと、基部２８ａの両端から前方側（Ｘ１方向側）にそれぞれ延出している腕部２８ｂとを備えている。なお、腕部２８ｂの先端部２８ｃは、前方カバー部材２７の係合穴部２７ｃに挿入可能に形成されている。また、後方カバー部材２８は、それぞれの腕部２８ｂの下端部から幅方向（Ｙ１−Ｙ２方向）の外側へ突出した取付板部２８ｄを有している。取付板部２８ｄは、平板状に形成され、取付板部２８ｄの突出方向端部の、前方側（Ｘ１方向側）には、下方へ突出するように形成された取付突起２８ｅが形成されている。
【００６８】
このように形成された前方カバー部材２７と後方カバー部材２８とは、図２５に示すように、前方カバー部材２７の係合部２７ｂに後方カバー部材２８の腕部２８ｂがそれぞれ係合されて前方カバー部材２７と後方カバー部材２８とが一体化され、カバー部材２６を形成している。すなわち、後方カバー部材２８の腕部２８ｂの先端部２８ｃが、前方カバー部材２７の係合部２７ｂである係合穴部２７ｃに挿入されて、内方側に折り曲げられて係合されることで、カバー部材２６が形成される。
【００６９】
シート部材２９は合成樹脂材のシート材からなり、図１４に示すように、長方形状のシート状に形成され、屈曲性を有している。なお、シート部材２９は、第２ケース部材２４の第２空間部２４ｂを覆うことができる大きさに形成されている。また、シート部材２９は、一方の面（Ｘ２方向側の面）に粘着剤が全面に塗布された粘着面２９ａを有する。
【００７０】
次にプッシュスイッチ２００の構造について図２２および図２８を用いて説明する。図２８は図１７（ｂ）に示す断面Ｆ−Ｆを示す模式断面図である。なお、説明を容易にするため、第２固定接点部２４ｇの位置は実際の位置とは異なる。
【００７１】
図２８に示すように、可動接点部材２２は第２ケース部材２４の第２空間部２４ｂ内に収容される。可動接点部材２２は可動接点部２２ａが前方（Ｘ１方向）へ突出する向きに配置され、一方（図２３に示すＺ２方向側）の常接接点部２２ｃは第２空間部２４ｂの最奥面２４ｅに露出する第２固定接点部２４ｇの接触部２４ｈ（図１９参照）と接触し、他方の常接接点部２２ｃは、最奥面２４ｅの第１固定接点部２４ｆを挟んで第２固定接点部２４ｇに対向する位置に周辺接触部２４ｑと同じ高さとなるように突出している箇所（図１９参照）に接触している。なお、可動接点部２２ａは第１固定接点部２４ｆとは離間している。シート部材２９は、粘着面２９ａが第２空間部２４ｂに対向する向きで、可動接点部材２２が配置された第２空間部２４ｂを覆うように配置される。シート部材２９は粘着面２９ａの粘着力により第２ケース部材２４の第２対向面２４ｄに保持されるとともに、可動接点部材２２を第２空間部２４ｂ内に保持して、可動接点部材２２と第２固定接点部２４ｇとは常時接触される。シート部材２９は屈曲性を有しているため、シート部材２９を介して押圧された場合には、可動接点部材２２の可動接点部２２ａは第２空間部２４ｂ内でも可動可能で、かつ中央接触部２４ｎ（図１９参照）と接触可能な位置に保持されている。操作部材２１は、ボタン部２１ｃを第１空間部２５ａ側から開口部２５ｅに挿通した状態で、第１ケース部材２５の第１空間部２５ａ内に保持される。なお、操作部材２１は、その一部（突出部２１ａ（図２４参照））が突出形状部２５ｄ（図２１参照）に配置されるとともに案内され、第１空間部２５ａ内をスライド移動可能に保持されている。第１空間部２５ａ内に操作部材２１を保持した第１ケース部材２５は、操作部材２１のアクチュエータ部２１ｂがシート部材２９と対向する向きで、第２ケース部材２４と係合する。すなわち、第１対向面２５ｃと第２対向面２４ｄとでシート部材２９を挟み込み、第１空間部２５ａと第２空間部２４ｂとが、操作部材２１及び可動接点部材２２を収容する空間部２３ａを形成するように係合する。このように第１ケース部材２５と第２ケース部材２４とを係合することで、操作部材２１のアクチュエータ部２１ｂと可動接点部材２２の可動接点部２２ａとはシート部材２９を介して接触する。また、前方カバー部材２７は、操作部材２１のボタン部２１ｃが貫通穴２７ａから突出した状態で、空間部２３ａを覆うように第１ケース部材２５と係合している。また、後方カバー部材２８は、基部２８ａでケース２３（第２ケース部材２４）の後方側を覆うとともに、腕部２８ｂを前方に延出させた状態で第２ケース部材２４と係合している。また前方へ延出した腕部２８ｂが、前方カバー部材２７の係合部２７ｂにそれぞれ係合されて前方カバー部材２７と後方カバー部材２８とが一体化され、カバー部材２６が形成されている。なお、第２実施形態においては、係合部２７ｂと腕部２８ｂとの係合は、後方カバー部材２８の腕部２８ｂの先端部２８ｃが、前方カバー部材２７の係合穴部２７ｃに挿入され、前方カバー部材２７の前方側にて内方側に折り曲げられて係合することで行われている。このように、カバー部材２６（図２５参照）が形成されることで、第１ケース部材２５と第２ケース部材２４とは、シート部材２９を圧接挟持する。このようにして第２実施形態におけるプッシュスイッチ２００は構成される。プッシュスイッチ２００が形成されると、図２２に示すように、突出形状部２５ｄの一部と第２対向面２４ｄの一部とが対向するように配置されている。したがって、突出形状部２５ｄに沿って移動可能に配置される操作部材２１の突出部２１ａは、第２対向面２４ｄに接触可能な位置に配置されている。ただし、操作部材２１を介して可動接点部材２２を押圧し、可動接点部２２ａを固定接点部２４ａ（第１固定接点部２４ｆ）に接触させたときに、突出部２１ａは第２対向面２４ｄから離間している。また、第２開口２４ｃの外形形状の長手辺と短手辺とが交差する箇所が突出形状部２５ｄに対応した箇所に配置されているため、操作部材２１の突出部２１ａは、第２開口２４ｃの外形形状の長手辺と短手辺とが交差する箇所で、第２対向面２４ｄに接触可能な位置に配置されている。また、第２ケース部材２４の第２対向面２４ｄにおいて、操作部材２１の突出部２１ａが当接可能な位置は、横方向における第２固定接点部２４ｇの接触部２４ｈの外方側に位置している。なお、図２２においては、シート部材２９を図示していないが、実際には、第１ケース部材２５の第１対向面２５ｃと第２ケース部材２４の第２対向面２４ｄとの間にはシート部材２９が挟まれている。
【００７２】
次にプッシュスイッチ２００の動作について図２８ないし図３０を用いて説明する。図２９は図２８に示す状態から押圧操作された後の状態を示す模式断面図である。図３０は第２実施形態におけるプッシュスイッチ２００がオーバーストロークになった状態を示す模式断面図である。
【００７３】
図２８に示す状態は、プッシュスイッチ２００が操作されていない初期状態を示している。図２８に示す状態においては、常接接点部２２ｃは第２固定接点部２４ｇと接触しているが、可動接点部２２ａは第１固定接点部２４ｆとは離間している。つまり、図２８に示す状態は、第１固定接点部２４ｆと第２固定接点部２４ｇとの電気的な導通は無い状態である。図２８に示す状態から、図２９に示すように、操作部材２１を後方側（Ｘ２方向）へ押圧すると、シート部材２９を介して可動接点部２２ａに接触するアクチュエータ部２１ｂは可動接点部２２ａを後方側へ押圧する。押圧された可動接点部２２ａは後方側へ撓んだ後に反転し、第１固定接点部２４ｆに接触する。可動接点部２２ａと第１固定接点部２４ｆとが接触することで、第１固定接点部２４ｆと第２固定接点部２４ｇとは、可動接点部材２２を介して電気的に導通される。また、操作部材２１への押圧を解除すると、可動接点部２２ａの弾性力により、図２８に示す初期状態に復帰し、第１固定接点部２４ｆと第２固定接点部２４ｇとの電気的な導通は無い状態となる。このように、可動接点部材２２と第１固定接点部２４ｆとが接離し、第１固定接点部２４ｆと第２固定接点部２４ｇとの電気的な導通状態を切り替えることで入力を行なうことができ、外部と電気的に接続可能な外部接続端子２４ｒを介して入力信号として出力され、プッシュスイッチとして機能する。また、可動接点部２２ａと第１固定接点部２４ｆとが接触するとき、操作部材２１の鍔部２１ｄ（突出部２１ａ（図２４参照））と第２ケース部材２４の第２対向面２４ｄとは離間している。しかし、操作者により操作部材２１を必要以上の力で押し込み操作された場合や、プッシュスイッチ２００が取り付けられた電子機器などを誤って落下させ、操作部材２１を押圧する方向に衝撃が加わった場合など、可動接点部２２ａと第１固定接点部２４ｆとが接触したあとにオーバーストロークになる場合もある。このようなオーバーストロークとなった場合には、図３０に示すように、操作部材２１のアクチュエータ部２１ｂが潰れるとともに、突出部２１ａ（図２４参照）が第２ケース部材２４の第２対向面２４ｄに接触し、操作部材２１がさらに後方へ押し込まれるのを阻止する。なお、図３０においては、アクチュエータ部２１ｂがほとんどなくなるまで潰れるように図示しているが、実際には、アクチュエータ部２１ｂの先端部が潰れる程度であり、アクチュエータ部２１ｂの先端部が潰れた後であっても、プッシュスイッチ２００への入力操作は可能である。
【００７４】
以下、本実施形態としたことによる効果について説明する。なお、一部の効果の説明には図１６または図３１を用いて説明する。図３１は図１５に記載のＧ部を拡大して示す拡大図である。
【００７５】
本実施形態のプッシュスイッチ２００では、操作部材２１と、可動接点部材２２と、固定接点部２４ａを有し、操作部材２１および可動接点部材２２を収容可能で前方側が開放された空間部２３ａを備えるケース２３と、空間部２３ａを覆う前方カバー部材２７と、ケース２３の後方側を覆う基部２８ａと、基部２８ａの両端から前方側にそれぞれ延出している腕部２８ｂとを備える後方カバー部材２８と、を有するプッシュスイッチにおいて、前方カバー部材２７には、操作部材２１が突出する貫通穴２７ａと、両端側に後方カバー部材２８の腕部２８ｂと係合される係合部２７ｂとが設けられており、前方カバー部材２７の係合部２７ｂに後方カバー部材２８の腕部２８ｂがそれぞれ係合されて前方カバー部材２７と後方カバー部材２８とが一体化されている、構成とした。
【００７６】
これにより、後方カバー部材２８の基部２８ａがケース２３の後方側を覆う、すなわちケース２３の後方側には後方カバー部材２８が分断された箇所が無いとともに、２つの腕部２８ｂを前方カバー部材２７と係合させて一体化させる構成とした。これにより、押圧されたときに、選考技術のように後方カバー部材２８の分断された箇所が広がることはないので、先行技術に比べて前方側からの押し込み強度を向上させることができる。よって、基板取り付け後に前方側からの押圧操作に対する耐性のある横押しタイプのプッシュスイッチを提供することができる、という効果を奏する。
【００７７】
また、本実施形態のプッシュスイッチ２００では、係合部２７ｂが貫通孔からなる係合穴部２７ｃであり、後方カバー部材２８の腕部２８ｂが係合穴部２７ｃに挿入され、前方カバー部材２７の前方側にて内方側に折り曲げられて係合している、構成とした。
【００７８】
これにより、係合部２７ｂを貫通孔からなる係合穴部２７ｃとすることで、係合部２７ｂを簡易に構成することができる。また、後方カバー部材２８の腕部２８ｂが係合穴部２７ｃに挿入され、折り曲げることで係合する構成とすることで、前方カバー部材２７と後方カバー部材２８とを十分な保持力で係合することができる。したがって、簡易な構成で、前方カバー部材２７と後方カバー部材２８とを十分な保持力で係合することができる、という効果を奏する。
【００７９】
また、本実施形態のプッシュスイッチ２００では、前方カバー部材２７の係合穴部２７ｃの開口形状は幅方向における外方側が円弧形状となっており、後方カバー部材２８の腕部２８ｂの先端部２８ｃは係合穴部２７ｃに挿入可能に形成されており、係合穴部２７ｃに挿入されて、内方側に折り曲げられて係合されている、構成とした。
【００８０】
これにより、係合穴部２７ｃの開口形状を、幅方向における外方側が円弧形状とすることで、幅方向における外方側においては上下方向の寸法が内方側よりも小さくなる。係合穴部２７ｃと腕部２８ｂとを係合するために、腕部２８ｂの先端部２８ｃを内方側に折り曲げたときに、腕部２８ｂが係合穴部２７ｃの幅方向における外方側へ広がりやすい。仮に広がったとしても、図３１に破線で示すように、腕部２８ｂが係合穴部２７ｃの幅方向における外方側（図３１においてはＹ１方向側）の円弧形状の面に接触し、外方側へ広がることなく、腕部２８ｂは内方側へ寄せられる。したがって、前方カバー部材２７と後方カバー部材２８とをガタのない状態で固定することができ、外れにくい強固な係合とすることができる、という効果を奏する。
【００８１】
また、本実施形態のプッシュスイッチ２００では、固定接点部２４ａを有し、可動接点部材２２を収容する第２空間部２４ｂを備える第２ケース部材２４と、第２ケース部材２４と係合して、操作部材２１を案内するようにその一部を収容する第１空間部２５ａを備える第１ケース部材２５と、からなるプッシュスイッチにおいて、第２ケース部材２４は第２空間部２４ｂが開口した第２開口２４ｃのある第２対向面２４ｄを有し、第１ケース部材２５は第１空間部２５ａが開口した第１開口２５ｂのある第１対向面２５ｃを有し、第２ケース部材２４と第１ケース部材２５とは、第２対向面２４ｄと第１対向面２５ｃとを対向させて係合され、第１開口２５ｂの外形形状を第２開口２４ｃの外形形状に重ねたとき、第１開口２５ｂの外形形状は第２開口２４ｃの外形形状からはみ出す突出形状部２５ｄを有し、操作部材２１は第１開口２５ｂの外形形状に沿うように形成されて、突出形状部２５ｄに配置される突出部２１ａを有し、操作部材２１を介して可動接点部材２２を固定接点部２４ａに接触させたときに、突出部２１ａは第２対向面２４ｄから離間している、構成とした。
【００８２】
これにより、第１開口２５ｂの外形形状を第２開口２４ｃの外形形状に重ねたとき、第１開口２５ｂの外形形状は第２開口２４ｃの外形形状からはみ出すように形成された突出形状部２５ｄを有し、操作部材２１は第１開口２５ｂの外形形状に沿うように形成されており、突出形状部２５ｄに配置される突出部２１ａを有する構成とした。したがって、誤って操作部材２１が無理押しされるなど、オーバーストロークとなったときに、操作部材２１の突出部２１ａを第２対向面２４ｄに当接させることでストッパを構成して、過剰な押し込み時の耐性を向上させることができる。このような構造であれば、押圧操作された方向に可動接点部材２２が配置された構造であっても、過剰なオーバーストロークを止めることができる。したがって、押圧操作された方向に可動接点部材２２が配置され、過剰な押し込みに対応可能なプッシュスイッチを提供することができる、という効果を奏する。
【００８３】
また、本実施形態のプッシュスイッチ２００では、第２開口２４ｃの外形形状は、長手辺が直線形状で、短手辺が円弧形状の長方形状であり、可動接点部材２２は第２開口２４ｃの外形形状に沿うように形成され、操作部材２１の突出部２１ａは、第２開口２４ｃの外形形状の長手辺と短手辺とが交差する箇所で、第２対向面２４ｄに接触可能に形成されている、構成とした。
【００８４】
これにより、第２開口２４ｃの外形形状を、長手辺が直線形状で、短手辺が円弧形状の長方形状とし、短手辺と長手辺とが交差する位置で突出部２１ａが第２対向面２４ｄに接触可能とすることで、仮にオーバーストロークになった場合に、突出部２１ａと第２対向面２４ｄとの接触面積を大きくすることができる。すなわち、より大きな荷重が加わった場合にも、破損することなく操作部材２１の移動を止めることができる。したがって、押圧操作された方向に可動接点部材２２が配置され、過剰な押し込みに対応可能なプッシュスイッチを提供することができる、という効果を奏する。
【００８５】
また、本実施形態のプッシュスイッチ２００では、可動接点部材２２は、ばね性を有する金属板から形成されており、操作部材２１は、可動接点部材２２を押圧するための合成樹脂材からなるアクチュエータ部２１ｂを有し、アクチュエータ部２１ｂは、可動接点部材２２を撓ませることが可能で、かつ第２ケース部材２４を破損させない所定の荷重が加わったときに潰れる、構成とした。
【００８６】
これにより、可動接点部材２２を撓ませることが可能で、かつ第２ケース部材２４を破損させない所定の荷重が加わったときに、アクチュエータ部２１ｂが潰れる構成としたことで、仮にオーバーストロークになった場合には、先ず、アクチュエータ部２１ｂが潰れ、そのあとに突出部２１ａと第２対向面２４ｄとが当接することになる。そのため、第２ケース部材２４に過剰な押圧付加が加わることによる、固定接点部２４ａの周辺の破損を軽減することができる。また、アクチュエータ部２１ｂは、オーバーストロークの移動量分であるわずかな量しか潰れないので、スイッチ機能が完全に喪失することは無い。したがって、押圧操作された方向に可動接点部材２２が配置され、過剰な押し込みに対応可能なプッシュスイッチを提供することができる、という効果を奏する。
【００８７】
また、本実施形態のプッシュスイッチ２００では、固定接点部２４ａは、第２空間部２４ｂの第２開口２４ｃに対向する側の面である最奥面２４ｅに形成され、最奥面２４ｅの中央部分に形成される第１固定接点部２４ｆと、最奥面２４ｅにおいて第２空間部２４ｂの長手側の壁の近くに形成される第２固定接点部２４ｇと、からなり、第１固定接点部２４ｆおよび第２固定接点部２４ｇは、可動接点部材２２が接触する接触部２４ｈを有しており、第２ケース部材２４の第２対向面２４ｄにおいて、操作部材２１の突出部２１ａが当接可能な位置は、横方向における第２固定接点部２４ｇの接触部２４ｈの外方側に位置している、構成とした。
【００８８】
これにより、横方向における第２固定接点部２４ｇの接触部２４ｈの外方側であれば、第２空間部２４ｂの最奥面２４ｅから固定接点部２４ａが露出する箇所がなくなるので、第２空間部２４ｂを設ける必要がなくなり、第２ケース部材２４の側壁を厚くすることができる。したがって、第２ケース部材２４の第２対向面２４ｄにおいて、操作部材２１の突出部２１ａが当接可能な位置を、横方向における第２固定接点部２４ｇの接触部２４ｈの外方側とすることで、突出部２１ａと第２対向面２４ｄとの接触面積を大きくすることができる。よって、より大きな荷重が加わった場合にも、破損することなく操作部材２１の移動を止めることができる、という効果を奏する。
【００８９】
また、本実施形態のプッシュスイッチ２００では、固定接点部２４ａを有し、操作部材２１及び可動接点部材２２を収容する空間部２３ａを備えるケース２３と、空間部２３ａを覆うカバー部材２６と、を備えたプッシュスイッチにおいて、固定接点部２４ａは空間部２３ａの一面である最奥面２４ｅに露出して形成されており、ケース２３は最奥面２４ｅの後方側に突出するように形成された本体部２４ｋを有し、本体部２４ｋには、後方側の端部から前方へ向かって一部切り欠かれた切り欠き部２４ｍを有し、固定接点部２４ａは、可動接点部材２２と接離する第１固定接点部２４ｆと、可動接点部材２２と常時接触する第２固定接点部２４ｇと、からなり、第１固定接点部２４ｆは、可動接点部材２２と接触する中央接触部２４ｎと、中央接触部２４ｎに連続して最奥面２４ｅから露出するとともに、中央接触部２４ｎの周囲へ延出された延出部２４ｐと、を有し、中央接触部２４ｎは、最奥面２４ｅの本体部２４ｋに対応した箇所に配置されている、構成とした。
【００９０】
これにより、最奥面２４ｅの後方側で厚みのある本体部２４ｋに対応した箇所に中央接触部２４ｎを配置するとともに、中央接触部２４ｎの周囲に延出する延出部２４ｐを設けることで、押し込み操作されたときに、ケース２３に厚みのある部分で受け止めるとともに、受け止める面積を広げることができる。したがって、単位面積当たりで受け止める荷重を小さくするとともに、荷重に対して強い部分で受けることができる。よって、押し込み耐性の高いプッシュスイッチを提供することができる、という効果を奏する。
【００９１】
また、本実施形態のプッシュスイッチ２００では、第２固定接点部２４ｇの可動接点部材２２と接触する周辺接触部２４ｑは、最奥面２４ｅの切り欠き部２４ｍに対応した箇所に配置されている、構成とした。
【００９２】
これにより、周辺接触部２４ｑを切り欠き部２４ｍに対応した箇所に配置することで、本体部２４ｋに対応した箇所を、押し込み操作時に最も負荷がかかる中央接触部２４ｎおよび延出部２４ｐに、より大きな面積を確実に割り当てることが可能となる。したがって、より押し込み耐性の高いプッシュスイッチを提供することができる、という効果を奏する。
【００９３】
また、本実施形態のプッシュスイッチ２００では、金属板からなりケース２３にインサート成型された回路部材３０は、一端に固定接点部２４ａを有するとともに、他端には、ケース２３の後方側から露出して外部と電気的に接続可能な外部接続端子２４ｒを有し、回路部材３０の固定接点部２４ａと外部接続端子２４ｒとの間には、上方からの平面視で、回路部材３０が延出する方向に対して交差する方向へ延出する許容部２４ｓが形成され、許容部２４ｓの幅寸法は、許容部２４ｓを間に挟んだ箇所の幅寸法よりも小さい、構成とした。
【００９４】
プッシュスイッチ２００が電子機器などに取り付けられる場合には、プッシュスイッチ２００は、図１６に示すような、切り欠きが設けられた基板ＣＢ２に取り付けられる。プッシュスイッチ２００は、基板ＣＢ２の切り欠き部分の端部と切り欠き部２４ｍとが係合するとともに、外部接続端子２４ｒおよびケース２３の複数個所を基板ＣＢ２の上面に設けられたランドＬＮ２上に配置され、半田付けなどにより固定される。これにより、例えば、電子機器に搭載された状態で押し込み操作をされたとき、外部接続端子２４ｒは電子機器に半田付けなどにより固定されているため、押し込み荷重は外部接続端子２４ｒに加わることになる。外部接続端子２４ｒと固定接点部２４ａとの間に、前後の箇所より幅寸法が小さい許容部２４ｓを設けることで、押し込み操作をされたときに、押し込みされた方向へ微少量ではあるが許容部２４ｓが撓むことで、外部接続端子２４ｒにかかる負荷を吸収し軽減することができる。したがって、押し込み操作により半田付けされた外部接続端子２４ｒが外れるような不具合が発生し難くなる。よって、さらに押し込み耐性の高いプッシュスイッチを提供することができる、という効果を奏する。
【００９５】
以上のように、本発明の実施形態に係るプッシュスイッチを具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００９６】
第１実施形態において、可動接点部材２を２枚重ねて用いる構成とし、第２実施形態においては、可動接点部材２２を１枚用いる構成としたが、収納可能な範囲で仕様に合わせて枚数を変更しても良い。
【００９７】
第１実施形態において、係合部４Ａ（係合凹部４ｂ）は凹形状に形成され、第２実施形態においては、係合部２７ｂ（係合穴部２７ｃ）はているが、幅方向の外方側が円弧状の長方形状に形成されているが、幅方向の外方側が短辺である台形形状の穴などであっても良い。
【００９８】
本実施形態において、係合部と腕部との係合箇所を幅方向の両側に設けたが、上下方向の両側に設けても良い。また、可能であれば、その際に上側の係合箇所を２箇所にするなど係合箇所を増やしても良い。
【００９９】
本実施形態において、係合部と腕部との係合箇所を幅方向の両側に設けたが、幅方向の両側だけでなく、同時に上下方向の両側にも係合箇所を設けるなどして係合箇所を増やしても良い。
【符号の説明】
【０１００】
１      操作部材
１ａ    ボタン部
１ｂ    鍔部
１ｃ    アクチュエータ部
２      可動接点部材
２ａ    可動接点部
２ｂ    スリット
２ｃ    常接接点部
２ｄ    連結部
３      ケース
３ａ    固定接点部
３ｂ    空間部
３ｃ    第１逃げ部
３ｄ    第２逃げ部
３ｅ    第１ケース部材
３ｆ    第２ケース部材
３ｇ    開口部
３ｈ    位置決め凸部
３ｋ    第１空間部
３ｍ    第２空間部
３ｎ    第１固定接点部
３ｐ    第２固定接点部
３ｑ    外部接続端子
４      前方カバー部材
４Ａ    係合部
４ａ    貫通穴
４ｂ    係合凹部
４ｃ    面部
４ｄ    第１半田付け部
４ｅ    位置決め孔部
５      後方カバー部材
５ａ    基部
５ｂ    腕部
５ｃ    係合端部
５ｄ    第２半田付け部
５ｅ    固定凸部
５ｆ    第３半田付け部
６      シート部材
６ａ    粘着面
２１    操作部材
２１ａ  突出部
２１ｂ  アクチュエータ部
２１ｃ  ボタン部
２１ｄ  鍔部
２２    可動接点部材
２２ａ  可動接点部
２２ｂ  スリット
２２ｃ  常接接点部
２２ｄ  連結部
２２ｅ  頂部
２３    ケース
２３ａ  空間部
２４    第２ケース部材
２４ａ  固定接点部
２４ｂ  第２空間部
２４ｃ  第２開口
２４ｄ  第２対向面
２４ｅ  最奥面
２４ｆ  第１固定接点部
２４ｇ  第２固定接点部
２４ｈ  接触部
２４ｋ  本体部
２４ｍ  切り欠き部
２４ｎ  中央接触部
２４ｐ  延出部
２４ｑ  周辺接触部
２４ｒ  外部接続端子
２４ｓ  許容部
２５    第１ケース部材
２５ａ  第１空間部
２５ｂ  第１開口
２５ｃ  第１対向面
２５ｄ  突出形状部
２５ｅ  開口部
２６    カバー部材
２７    前方カバー部材
２７ａ  貫通穴
２７ｂ  係合部
２７ｃ  係合穴部
２７ｄ  板状部
２８    後方カバー部材
２８ａ  基部
２８ｂ  腕部
２８ｃ  先端部
２８ｄ  取付板部
２８ｅ  取付突起
２９    シート部材
２９ａ  粘着面
３０    回路部材
１００  プッシュスイッチ
２００  プッシュスイッチ
ＣＢ１    基板
ＣＢ２    基板
Ｄ      隙間
ＬＮ１    ランド
ＬＮ２    ランド
【図１】
0005900900.tif 000002
【図２】
0005900900.tif 000003
【図３】
0005900900.tif 000004
【図４】
0005900900.tif 000005
【図５】
0005900900.tif 000006
【図６】
0005900900.tif 000007
【図７】
0005900900.tif 000008
【図８】
0005900900.tif 000009
【図９】
0005900900.tif 000010
【図１０】
0005900900.tif 000011
【図１１】
0005900900.tif 000012
【図１２】
0005900900.tif 000013
【図１３】
0005900900.tif 000014
【図１４】
0005900900.tif 000015
【図１５】
0005900900.tif 000016
【図１６】
0005900900.tif 000017
【図１７】
0005900900.tif 000018
【図１８】
0005900900.tif 000019
【図１９】
0005900900.tif 000020
【図２０】
0005900900.tif 000021
【図２１】
0005900900.tif 000022
【図２２】
0005900900.tif 000023
【図２３】
0005900900.tif 000024
【図２４】
0005900900.tif 000025
【図２５】
0005900900.tif 000026
【図２６】
0005900900.tif 000027
【図２７】
0005900900.tif 000028
【図２８】
0005900900.tif 000029
【図２９】
0005900900.tif 000030
【図３０】
0005900900.tif 000031
【図３１】
0005900900.tif 000032
【図３２】
0005900900.tif 000033